(57)【要約】  【課題】  画像縮小時の利用者の誤認を適切に防止した画像処理装置及び画像処理方法を提供する。  【解決手段】  画像処理装置１００は、画像オブジェクトの縮小を行うものであって、画像オブジェクトの誤認防止モードを設定する誤認防止モード設定部２０２と、誤認防止モード設定部２０２により誤認防止モードが設定された場合に、画像オブジェクトの縮小に関する情報に基づいて、縮小による画像オブジェクトの誤認発生の可能性を判定する誤認発生可能性判定部２０４と、誤認発生可能性判定部２０４により誤認発生の可能性があると判定された画像オブジェクトについて誤認防止処理を行う誤認防止処理部２０６とを有する【選択図】  図１
2006270171.tif 000002
【特許請求の範囲】
【請求項１】
画像オブジェクトの縮小を行う画像処理装置であって、
前記画像オブジェクトの誤認防止モードを設定する誤認防止モード設定手段と、
前記誤認防止モード設定手段により誤認防止モードが設定された場合に、前記画像オブジェクトの縮小に関する情報に基づいて、縮小による前記画像オブジェクトの誤認発生の可能性を判定する誤認発生可能性判定手段と、
前記誤認発生可能性判定手段により誤認発生の可能性があると判定された画像オブジェクトについて誤認防止処理を行う誤認防止手段とを有することを特徴とする画像処理装置。
【請求項２】
前記画像オブジェクトの縮小に関する情報は、縮小前の画像オブジェクトと縮小後の画像オブジェクトの解像度の差、及び、縮小倍率の少なくともいずれかであることを特徴とする請求項１に記載の画像処理装置。
【請求項３】
前記誤認防止手段は、前記誤認発生可能性判定手段により誤認発生の可能性があると判定された画像オブジェクトについて縮小後の解像度を予め定められた解像度より増加させる解像度変更手段を有することを特徴とする請求項１又は２に記載の画像処理装置。
【請求項４】
前記誤認防止手段は、前記誤認発生可能性判定手段により誤認発生の可能性があると判定された場合に、その旨を通知する通知手段を有することを特徴とする請求項１又は２に記載の画像処理装置。
【請求項５】
前記通知手段は、前記誤認発生可能性判定手段により誤認発生の可能性があると判定された画像オブジェクトの領域を視認可能に通知することを特徴とする請求項４に記載の画像処理装置。
【請求項６】
前記誤認防止手段は、前記誤認発生可能性判定手段により誤認発生の可能性があると判定された場合に、前記画像オブジェクトの縮小を停止する縮小停止手段を有することを特徴とする請求項１又は２に記載の画像処理装置。
【請求項７】
前記誤認防止手段は、
前記画像オブジェクトの縮小方式を受け付ける縮小方式受付手段と、
前記縮小方式受付手段により受け付けられた縮小方式により前記画像オブジェクトの縮小を行う再縮小手段とを有することを特徴とする請求項４乃至６のいずれかに記載の画像処理装置。
【請求項８】
前記画像オブジェクトのラスタライズを行うラスタライズ手段と、
前記ラスタライズ手段によりラスタライズがなされた画像オブジェクトを送信する送信手段とを有することを特徴とする請求項１乃至７のいずれかに記載の画像処理装置。
【請求項９】
画像オブジェクトの縮小を行う画像処理方法であって、
前記画像オブジェクトの誤認防止モードを設定する誤認防止モード設定ステップと、
前記誤認防止モード設定ステップにおいて誤認防止モードが設定された場合に、前記画像オブジェクトの縮小に関する情報に基づいて、縮小による前記画像オブジェクトの誤認発生の可能性を判定する誤認発生可能性判定ステップと、
前記誤認発生可能性判定ステップにおいて誤認発生の可能性があると判定された画像オブジェクトについて誤認防止処理を行う誤認防止ステップとを有することを特徴とする画像処理方法。
【請求項１０】
前記画像オブジェクトの縮小に関する情報は、縮小前の画像オブジェクトと縮小後の画像オブジェクトの解像度の差、及び、縮小倍率の少なくともいずれかであることを特徴とする請求項９に記載の画像処理方法。
【請求項１１】
前記誤認防止ステップは、前記誤認発生可能性判定ステップにおいて誤認発生の可能性があると判定された画像オブジェクトについて縮小後の解像度を予め定められた解像度より増加させる解像度変更ステップを有することを特徴とする請求項９又は１０に記載の画像処理方法。
【請求項１２】
前記誤認防止ステップは、前記誤認発生可能性判定ステップにおいて誤認発生の可能性があると判定された場合に、その旨を通知する通知ステップを有することを特徴とする請求項９又は１０に記載の画像処理方法。
【請求項１３】
前記通知ステップは、前記誤認発生可能性判定ステップにおいて誤認発生の可能性があると判定された画像オブジェクトの領域を視認可能に通知することを特徴とする請求項１２に記載の画像処理方法。
【請求項１４】
前記誤認防止ステップは、前記誤認発生可能性判定ステップにおいて誤認発生の可能性があると判定された場合に、前記画像オブジェクトの縮小を停止する縮小停止ステップを有することを特徴とする請求項９又は１０に記載の画像処理方法。
【請求項１５】
前記誤認防止ステップは、
前記画像オブジェクトの縮小方式を受け付ける縮小方式受付ステップと、
前記縮小方式受付ステップにおいて受け付けられた縮小方式により前記画像オブジェクトの縮小を行う再縮小ステップとを有することを特徴とする請求項１２乃至１４のいずれかに記載の画像処理方法。
【発明の詳細な説明】
【技術分野】
【０００１】
本発明は、画像オブジェクトの縮小を行う画像処理装置及び画像処理方法に関する。
【背景技術】
【０００２】
画像処理装置は、印刷データにビットマップ形式のフォントやイメージの画像オブジェクトが含まれており、これらの画像オブジェクトを印刷用紙のサイズ等に応じて縮小する。このような画像オブジェクトの縮小において、所定間隔で画像領域の画素を間引く方式である単純間引きが行われると、細線抜けが生じる場合がある。一方、画像オブジェクトの縮小において、画素の値を周辺画素との論理和により算出する方式では、細線抜けを防止することは可能であるが、小さい文字が潰れる等の画質劣化が生じ、利用者の誤認を招く場合がある。
【０００３】
ビットマップ形式の画像オブジェクトの縮小時における画質の不具合を防止する先行技術としては、特許文献１に記載されたものがある。
【特許文献１】特開平８−８０６３９号公報
【発明の開示】
【発明が解決しようとする課題】
【０００４】
しかし、特許文献１に記載の技術は、ビットマップイメージについては適用することができず、更には、アウトラインフォントが搭載されていない場合には、ビットマップフォントについても適用することができない。
【０００５】
本発明は、前述したような従来の問題を解決するためになされたもので、画像縮小時の利用者の誤認を適切に防止した画像処理装置及び画像処理方法を提供するものである。
【課題を解決するための手段】
【０００６】
本発明は、画像オブジェクトの縮小を行う画像処理装置であって、前記画像オブジェクトの誤認防止モードを設定する誤認防止モード設定手段と、前記誤認防止モード設定手段により誤認防止モードが設定された場合に、前記画像オブジェクトの縮小に関する情報に基づいて、縮小による前記画像オブジェクトの誤認発生の可能性を判定する誤認発生可能性判定手段と、前記誤認発生可能性判定手段により誤認発生の可能性があると判定された画像オブジェクトについて誤認防止処理を行う誤認防止手段とを有する。
【０００７】
この構成により、縮小による画像オブジェクトの誤認発生の可能性がある場合には、その画像オブジェクトの誤認を防止する処理が行われる。
【０００８】
また、本発明の画像処理装置は、前記画像オブジェクトの縮小に関する情報が、縮小前の画像オブジェクトと縮小後の画像オブジェクトの解像度の差、及び、縮小倍率の少なくともいずれかである。
【０００９】
また、本発明の画像処理装置は、前記誤認防止手段が、前記誤認発生可能性判定手段により誤認発生の可能性があると判定された画像オブジェクトについて縮小後の解像度を予め定められた解像度より増加させる解像度変更手段を有する。
【００１０】
この構成により、誤認発生の可能性があると判定された画像オブジェクトについては縮小後の解像度が増加するため、誤認が防止される。
【００１１】
また、本発明の画像処理装置は、前記誤認防止手段が、前記誤認発生可能性判定手段により誤認発生の可能性があると判定された場合に、その旨を通知する通知手段を有する。
【００１２】
この構成により、利用者に対して誤認の可能性に対する注意を促すことができる。
【００１３】
また、本発明の画像処理装置は、前記通知手段が、前記誤認発生可能性判定手段により誤認発生の可能性があると判定された画像オブジェクトの領域を視認可能に通知する。
【００１４】
また、本発明の画像処理装置は、前記誤認防止手段が、前記誤認発生可能性判定手段により誤認発生の可能性があると判定された場合に、前記画像オブジェクトの縮小を停止する縮小停止手段を有する。
【００１５】
この構成により、誤認が生じる可能性のあるような画像縮小を未然に防止することができる。
【００１６】
また、本発明の画像処理装置は、前記誤認防止手段が、前記画像オブジェクトの縮小方式を受け付ける縮小方式受付手段と、前記縮小方式受付手段により受け付けられた縮小方式により前記画像オブジェクトの縮小を行う再縮小手段とを有する。
【００１７】
この構成により、誤認が生じることのない適切な画像縮小を行うことが可能となる。
【００１８】
また、本発明の画像処理装置は、前記画像オブジェクトのラスタライズを行うラスタライズ手段と、前記ラスタライズ手段によりラスタライズがなされた画像オブジェクトを送信する送信手段とを有する。
【００１９】
また、本発明は、画像オブジェクトの縮小を行う画像処理方法であって、前記画像オブジェクトの誤認防止モードを設定する誤認防止モード設定ステップと、前記誤認防止モード設定ステップにおいて誤認防止モードが設定された場合に、前記画像オブジェクトの縮小に関する情報に基づいて、縮小による前記画像オブジェクトの誤認発生の可能性を判定する誤認発生可能性判定ステップと、前記誤認発生可能性判定ステップにおいて誤認発生の可能性があると判定された画像オブジェクトについて誤認防止処理を行う誤認防止ステップとを有する。
【００２０】
また、本発明の画像処理方法は、前記画像オブジェクトの縮小に関する情報が、縮小前の画像オブジェクトと縮小後の画像オブジェクトの解像度の差、及び、縮小倍率の少なくともいずれかである。
【００２１】
また、本発明の画像処理方法は、前記誤認防止ステップが、前記誤認発生可能性判定ステップにおいて誤認発生の可能性があると判定された画像オブジェクトについて縮小後の解像度を予め定められた解像度より増加させる解像度変更ステップを有する。
【００２２】
また、本発明の画像処理方法は、前記誤認防止ステップが、前記誤認発生可能性判定ステップにおいて誤認発生の可能性があると判定された場合に、その旨を通知する通知ステップを有する。
【００２３】
また、本発明の画像処理方法は、前記通知ステップが、前記誤認発生可能性判定ステップにおいて誤認発生の可能性があると判定された画像オブジェクトの領域を視認可能に通知する。
【００２４】
また、本発明の画像処理方法は、前記誤認防止ステップが、前記誤認発生可能性判定ステップにおいて誤認発生の可能性があると判定された場合に、前記画像オブジェクトの縮小を停止する縮小停止ステップを有する。
【００２５】
また、本発明の画像処理方法は、前記誤認防止ステップが、前記画像オブジェクトの縮小方式を受け付ける縮小方式受付ステップと、前記縮小方式受付ステップにおいて受け付けられた縮小方式により前記画像オブジェクトの縮小を行う再縮小ステップとを有する。
【発明の効果】
【００２６】
本発明によれば、縮小による画像オブジェクトの誤認発生の可能性がある場合には、その画像オブジェクトの誤認を防止する処理が行われるため、画像縮小時の利用者の誤認を適切に防止することができる。
【発明を実施するための最良の形態】
【００２７】
以下、本発明の実施の形態の画像処理装置について、図面を用いて説明する。
【００２８】
図１は、画像処理装置の構成図である。図１に示す画像処理装置１００は、ページ画像を構成する複数の画像オブジェクトの縮小を行うものであり、制御部１１０、操作部１２０、ラスタライズ部１３０、送信部１５０及び表示部１６０により構成される。
【００２９】
制御部１１０は、画像オブジェクトの縮小に関する各種制御を行う。この制御部１１０は、誤認防止モード設定部２０２、誤認発生可能性判定部２０４及び誤認防止処理部２０６により構成される。
【００３０】
誤認防止モード設定部２０２は、利用者が操作部１２０を操作して、縮小による画像オブジェクトの誤認が生じることを防止するモード（誤認防止モード）の設定を指示した場合、その指示に応じて誤認防止モードを設定する。誤認防止モードが設定された後は、利用者が画像オブジェクトを誤認することを防止するように、画像オブジェクトの縮小が行われる。
【００３１】
誤認発生可能性判定部２０４は、画像オブジェクトを縮小した場合に、画像オブジェクトの誤認が発生する可能性があるか否かを判定する。誤認防止処理部２０６は、誤認防止モード設定部２０２により誤認防止モードが設定され、且つ、誤認発生可能性判定部２０４により画像オブジェクトの誤認が発生する可能性があると判定された場合に、その誤認を防止するような画像オブジェクトの縮小処理を行うものである。この誤認防止処理部２０６は、解像度変更部２１１、通知部２１２、縮小制御部２１３及び縮小方式受付部２１４により構成される。
【００３２】
操作部１２０は、利用者が各種指示を行う際に操作されるものである。具体的には、利用者は、ページ画像の縮小率の設定、上述した誤認防止モードの設定、後述する縮小方式の設定等の際に操作部１２０を操作する。利用者の操作に応じた信号（操作信号）は、制御部１１０へ出力される。
【００３３】
ラスタライズ部１３０は、縮小後の画像オブジェクトによって構成されるページ画像に対応するページデータを画像表示のデータ形式に変換する。送信部１５０は、ラスタライズ変換後のページデータを外部のＦＡＸ機構（図示せず）等に出力する。表示部１６０は、ラスタライズ変換後のページデータに基づくページ画像の画像表示を行う。
【００３４】
以下、フローチャートを参照しつつ、画像処理装置１００の動作を説明する。図２は、画像処理装置１００の動作を示す第１のフローチャートである。制御部１１０は、ページ画像に対応するページデータを入力すると（Ｓ１０１）、当該ページ画像に含まれる画像オブジェクトのいずれかを選択する（Ｓ１０２）。
【００３５】
次に、制御部１１０は、選択した画像オブジェクトのデータ形式がビットマップオブジェクトであるか否かを判定する（Ｓ１０３）。選択した画像オブジェクトがビットマップオブジェクトでない場合には、制御部１１０は、予め定められた縮小率で、その画像オブジェクトのデータ形式に応じた縮小処理を行う（Ｓ１０４）。この縮小処理の際の縮小率は、予め利用者が操作部１２０を操作することによって設定されたもの、あるいは、ページ画像が印刷される用紙のサイズに応じて予め設定されたものである。
【００３６】
Ｓ１０４における画像オブジェクトの縮小処理の後、制御部１１０は、ページ画像に含まれる全ての画像オブジェクトについて縮小処理が終了したか否かを判定する（Ｓ１０５）。縮小処理が行われていない画像オブジェクトが存在する場合には、その縮小処理が行われていない画像オブジェクトの選択（Ｓ１０２）以降の動作が繰り返される。また、縮小処理が行われていない画像オブジェクトが存在しない場合には、一連の動作が終了する。そして、縮小後の画像オブジェクトによって構成されるページ画像に対応するページデータは、ラスタライズ処理部１３０へ出力される。上述したように、ラスタライズ部１３０は、縮小後の画像オブジェクトによって構成されるページ画像に対応するページデータを画像表示のデータ形式に変換する。送信部１５０は、ラスタライズ変換後のページデータを外部に出力し、表示部１６０は、ラスタライズ変換後のページデータに基づくページ画像の画像表示を行う。
【００３７】
一方、Ｓ１０３において、選択した画像オブジェクトのデータ形式がビットマップオブジェクトであると判定した場合、次に、制御部１１０は、誤認防止モードであるか否かを判定する（Ｓ１０６）。制御部１１０内の誤認モード設定部２０２が誤認防止モードを設定していない場合、制御部１１０は、Ｓ１０２で選択した選択したビットマップオブジェクトである画像オブジェクトについて、あらかじめ定められた縮小率で縮小処理を行う（Ｓ１０７）。
【００３８】
Ｓ１０７における画像オブジェクトの縮小処理の後、制御部１１０は、ページ画像に含まれる全ての画像オブジェクトについて縮小処理が終了したか否かを判定する（Ｓ１０５）。縮小処理が行われていない画像オブジェクトが存在する場合には、その縮小処理が行われていない画像オブジェクトの選択（Ｓ１０２）以降の動作が繰り返される。また、縮小処理が行われていない画像オブジェクトが存在しない場合には、一連の動作が終了し、縮小後の画像オブジェクトによって構成されるページ画像に対応するページデータがラスタライズ処理部１３０へ出力され、当該ラスタライズ部１３０は、縮小後の画像オブジェクトによって構成されるページ画像に対応するページデータを画像表示のデータ形式に変換する。送信部１５０は、ラスタライズ変換後のページデータを外部に出力し、表示部１６０は、ラスタライズ変換後のページデータに基づくページ画像の画像表示を行う。
【００３９】
一方、Ｓ１０６において、誤認防止モードであると判定した場合、次に、制御部１１０内の誤認発生可能性判定部２０４は、縮小前の画像オブジェクトと縮小後の画像オブジェクトの解像度の差や縮小倍率に基づいて、画像オブジェクトを縮小した場合に、当該画像オブジェクトの誤認が発生する可能性があるか否かを判定する（Ｓ１０８）。
【００４０】
画像オブジェクトの誤認が発生する可能性がない場合、制御部１１０は、Ｓ１０２で選択した選択したビットマップオブジェクトである画像オブジェクトについて、あらかじめ定められた縮小率で縮小処理を行う（Ｓ１０７）。
【００４１】
Ｓ１０７における画像オブジェクトの縮小処理の後、制御部１１０は、ページ画像に含まれる全ての画像オブジェクトについて縮小処理が終了したか否かを判定する（Ｓ１０５）。縮小処理が行われていない画像オブジェクトが存在する場合には、その縮小処理が行われていない画像オブジェクトの選択（Ｓ１０２）以降の動作が繰り返される。
【００４２】
一方、Ｓ１０８において、縮小により画像オブジェクトの誤認が発生する可能性が有ると判定された場合、制御部１１０内の誤認防止処理部２０６は、縮小後の解像度を増加させることにより誤認を防止することが可能であるか否かを判定する（Ｓ１０９）。
【００４３】
縮小後の解像度を増加させることにより誤認を防止することが可能である場合、誤認防止処理部２０６内の解像度変更部２１１は、縮小後の解像度を増加させる（Ｓ１１０）。次に、誤認防止処理部２０６内の縮小制御部２１３は、ページ画像を構成する全ての画像オブジェクトについて、増加した縮小後の解像度に応じて縮小処理を行う（Ｓ１１１）。
【００４４】
縮小後の画像オブジェクトによって構成されるページ画像に対応するページデータは、ラスタライズ処理部１３０へ出力され、当該ラスタライズ部１３０は、縮小後の画像オブジェクトによって構成されるページ画像に対応するページデータを画像表示のデータ形式に変換する。送信部１５０は、ラスタライズ変換後のページデータを外部に出力し、表示部１６０は、ラスタライズ変換後のページデータに基づくページ画像の画像表示を行う。
【００４５】
一方、Ｓ１０９において、縮小後の解像度を増加させることにより誤認を防止することが可能でないと判定された場合には、図３の動作に移行し、制御部１１０は、図２のＳ１０２で選択した選択した画像オブジェクトについて、予め定められた縮小率で縮小処理を行う（Ｓ１２１）。
【００４６】
次に、制御部１１０の誤認防止処理部２０６内の通知部２１３は、縮小後の画像オブジェクトによって構成されるページ画像において、誤認を生じる可能性のある画像オブジェクトの領域（誤認可能性領域）を表す画像を描画する。（Ｓ１２２）。更に、通知部２１３は、縮小後の画像オブジェクトによって構成されるページ画像において、誤認を生じる可能性のある旨を通知する文字（誤認可能性通知文字）の画像を描画する（Ｓ１２３）。これら誤認可能性領域及び誤認可能性通知文字が描画されたページ画像に対応するページデータは、ラスタライズ処理部１３０へ出力され、当該ラスタライズ部１３０は、縮小後の画像オブジェクトによって構成されるページ画像に対応するページデータを画像表示のデータ形式に変換し、表示部１６０は、ラスタライズ変換後のページデータに基づくページ画像の画像表示を行う。
【００４７】
図４は、ページ画像の一例を示す図である。図４（ａ）に示すページ画像が縮小されることにより、当該ページ画像を構成する画像オブジェクトの誤認が生じる可能性がある場合には、図４（ｂ）に示す縮小後のページ画像のように、その誤認が生じる可能性がある画像オブジェクトの領域３０１が視認可能に表示されるとともに、誤認を生じる可能性のある旨を通知する文字３０２が表示される。
【００４８】
次に、制御部１１０の誤認防止処理部２０６内の縮小方式受付部２１４は、利用者による縮小方式の設定を受け付けたか否かを判定する（Ｓ１２４）。利用者が操作部１２０を操作して、アウトラインフォントへの変更や解像度の変更等の縮小方式の設定を指示した場合には、縮小方式受付部２１４は、その縮小方式の設定を受け付ける。この場合、制御部１１０の誤認防止処理部２０６内の縮小制御部２１３は、図２のＳ１０２で選択した選択した画像オブジェクトについて、受け付けた縮小方式により縮小処理を行う（Ｓ１２５）。
【００４９】
Ｓ１２５における画像オブジェクトの縮小処理の後、制御部１１０による、ページ画像に含まれる全ての画像オブジェクトについて縮小処理が終了したか否かの判定（図２のＳ１０５）以降の動作が行われる。
【００５０】
なお、図３のフローチャートに示す動作に代えて、図５のフローチャートに示す動作が行われるようにしても良い。この場合には、制御部１１０は、図２のＳ１０２で選択した選択した画像オブジェクトについて、縮小処理を停止する（Ｓ１３１）。
【００５１】
次に、制御部１１０の誤認防止処理部２０６内の通知部２１３は、縮小後の画像オブジェクトによって構成されるページ画像において、誤認を生じる可能性のある旨を通知する文字（誤認可能性通知文字）の画像を描画する（Ｓ１３２）。これら誤認可能性通知文字が描画されたページ画像に対応するページデータは、ラスタライズ処理部１３０へ出力され、当該ラスタライズ部１３０は、縮小後の画像オブジェクトによって構成されるページ画像に対応するページデータを画像表示のデータ形式に変換し、表示部１６０は、ラスタライズ変換後のページデータに基づくページ画像の画像表示を行う。
【００５２】
次に、制御部１１０の誤認防止処理部２０６内の縮小方式受付部２１４は、利用者による縮小方式の設定を受け付けたか否かを判定する（Ｓ１３３）。利用者が操作部１２０を操作して、アウトラインフォントへの変更や解像度の変更等の縮小方式の設定を指示した場合には、縮小方式受付部２１４は、その縮小方式の設定を受け付ける。この場合、制御部１１０の誤認防止処理部２０６内の縮小制御部２１３は、図２のＳ１０２で選択した選択した画像オブジェクトについて、受け付けた縮小方式により縮小処理を行う（Ｓ１３４）。
【００５３】
Ｓ１３４における画像オブジェクトの縮小処理の後、制御部１１０による、ページ画像に含まれる全ての画像オブジェクトについて縮小処理が終了したか否かの判定（図２のＳ１０５）以降の動作が行われる。
【００５４】
このように、画像処理装置１００は、縮小により画像オブジェクトの誤認発生の可能性がある場合には、その画像オブジェクトの誤認を防止すべく、縮小後の解像度を増加させたり、誤認可能性領域や誤認可能性通知文字の画像を描画、表示させる。従って、誤認の未然防止や利用者に対して誤認の可能性に対する注意を促すことが可能となり、画像縮小時の利用者の誤認を適切に防止することができる。
【産業上の利用可能性】
【００５５】
以上、説明したように、本発明に係る画像処理装置及び画像処理方法は、画像縮小時の利用者の誤認を適切に防止することができ、画像処理装置等として有用である。
【図面の簡単な説明】
【００５６】
【図１】画像処理装置の構成図である。
【図２】画像処理装置の動作を示す第１のフローチャートである。
【図３】画像処理装置の動作を示す第２のフローチャートである。
【図４】ページ画像の一例を示す図である。
【図５】画像処理装置の動作を示す第３のフローチャートである。
【符号の説明】
【００５７】
１００  画像処理装置
１１０  制御部
１２０  操作部
１３０  ラスタライズ部
１５０  送信部
１６０  表示部
２０２  誤認防止モード設定部
２０４  誤認発生可能性判定部
２０６  誤認防止処理部
２１１  解像度変更部
２１２  通知部
２１３  縮小制御部
２１４  縮小方式受付部
【図１】
2006270171.tif 000003
【図２】
2006270171.tif 000004
【図３】
2006270171.tif 000005
【図４】
2006270171.tif 000006
【図５】
2006270171.tif 000007